(57)【特許請求の範囲】
【請求項１】
コンクリート製品の長さ寸法以上の長さ寸法を有する中央横架材と、
前記中央横架材の両側に配設されるＬ字状架材とを備え、
前記Ｌ字状架材は、横架材と縦架材とから形成され、
前記横架材は、前記中央横架材にスライド可能に嵌合するための貫通孔を有し、
前記縦架材は、その下部にコンクリート製品の凹部に挿入可能な凸状の差込金具を有し、前記差込金具は、前記中央横架材の長手方向に沿うように前記縦架材の両側に配設されるものであって、
前記中央横架材の両側に配設された前記Ｌ字状架材は、前記中央横架材から一旦離脱された後に、同一水平面内で１８０゜回転された状態で前記中央横架材の両端から嵌入可能に形成されていることを特徴とするコンクリート製品の吊り上げ装置。
【請求項２】
前記中央横架材及び前記Ｌ字状架材の横架材は、断面形状が角形のパイプから形成されることを特徴とする請求項１記載のコンクリート製品の吊り上げ装置。
【請求項３】
前記Ｌ字状架材の横架材には、吊り上げ用の環状金具が設けられていることを特徴とする請求項１または請求項２に記載のコンクリート製品の吊り上げ装置。
【請求項４】
前記Ｌ字状架材の横架材には、前記中央横架材との相対移動を停止するための固定金具が設けられていることを特徴とする請求項１ないし請求項３のいずれか１項に記載のコンクリート製品の吊り上げ装置。
【請求項５】
前記差込金具は、金属製の丸棒から形成されることを特徴とする請求項１ないし４のいずれか１項に記載のコンクリート製品の吊り上げ装置。  
【発明の詳細な説明】
【技術分野】
【０００１】
本発明は、コンクリートの二次製品、例えば、型枠内で製造されたプレストレストコンクリート製品などの脱型後の製品の仮置き場等への運搬及び反転に使用される吊り上げ装置に関する。
【背景技術】
【０００２】
従来、コンクリート二次製品の長さ以上の長さ寸法を有する渡し部材と、相対向状に配される一対の木口掛止部材と、これら一対の木口掛止部材に両端部を取着してなる索条部材とからなり、渡し部材に対し、一対の木口掛止部材が摺動自在に組み合わされると共に、木口掛止部材がコンクリート二次製品木口の肉厚に応じて同所をくわえたような状態に掛止することのできる側面コの字形、Ｌ字形等の掛止部及び吊上げ支点部材を装着してなるコンクリート二次製品用吊り具が知られている（以下、「従来技術１」という。例えば、特許文献１参照。）。
【０００３】
また、吊り具に接続される吊り杆と、横架材と、該横架材の両端に移動可能に取り付けられた固定具と、該固定具に連結された連結杆及び支持部材と、該支持部材の先端に取り付けられた差込棒を備えたコンクリート製品の吊り上げ反転治具が知られている（以下、「従来技術２」という。例えば、特許文献２参照。）。
【先行技術文献】
【特許文献】
【０００４】
【特許文献１】特開平７−２４８３号公報
【特許文献２】実開昭６０−５６５１２公報（全文）
【発明の概要】
【発明が解決しようとする課題】
【０００５】
しかしながら、従来技術１においては、コンクリート二次製品を反転させる際、吊り上げ用の索条部材を操作しながらコンクリート二次製品を反転させる必要があり、作業に熟練と時間を要するという問題があった。
また、従来技術２においては、コンクリート製品の長手方向の両端部を吊り上げる方式ではなく、長手方向と直交する両側壁に差込孔を設け、この差込孔に差込棒を挿入して吊り上げる方式であるため、コンクリート製品の長さが大きい場合、吊り上げ時のコンクリート製品の姿勢が不安定であるばかりか反転させる作業が困難であるという問題があった。
【０００６】
本発明は、従来技術の問題を解決するためになされたもので、コンクリート製品の長手方向の両端部を吊り上げる方式に適したものであって、コンクリート製品には吊り上げのための金物等を装着することなく、簡単な構成で吊り上げ及び回転が可能であるとともに、コンクリート製品のサイズが異なる場合にも特別な装置を要することなく、柔軟に対応できるコンクリート製品の吊り上げ装置を提供することを目的とする。
【課題を解決するための手段】
【０００７】
上記目的を達成するため本発明のコンクリート製品の吊り上げ装置は、第１に、コンクリート製品の長さ寸法以上の長さ寸法を有する中央横架材と、前記中央横架材の両側に配設されるＬ字状架材とを備え、
前記Ｌ字状架材は、横架材と縦架材とから形成され、前記横架材は、前記中央横架材にスライド可能に嵌合するための貫通孔を有し、前記縦架材は、その下部にコンクリート製品の凹部に挿入可能な凸状の差込金具を有し、前記差込金具は、前記中央横架材の長手方向に沿うように前記縦架材の両側に配設されることを特徴としている。
この特徴によれば、コンクリート製品に吊り上げのための金物等を装着することなく、簡単な構成で吊り上げ及び回転が可能であるとともに、コンクリート製品のサイズが異なる場合にも特別な装置を要することなく、柔軟に対応できる。
【０００８】
また、本発明のコンクリート製品の吊り上げ装置は、第２に、第１の特徴において、前記中央横架材及び前記Ｌ字状架材の横架材は、断面形状が角形のパイプから形成されることを特徴としている。
この特徴によれば、主要な部材である中央横架材及びＬ字状架材の横架材を市販の角形のパイプで構成することができるから、装置を安価に提供することができる。また、吊り上げるコンクリート製品の重量に応じて角形のパイプのサイズを変更すればよいから、種々のコンクリート製品に適した装置を容易に提供できる。
【０００９】
また、本発明のコンクリート製品の吊り上げ装置は、第３に、第１または第２の特徴において、前記Ｌ字状架材の横架材には、吊り上げ用の環状金具が設けられていることを特徴としている。
この特徴によれば、建設現場などで使用されている重機を利用して、簡単にコンクリート製品を吊り上げることができる。
【００１０】
また、本発明のコンクリート製品の吊り上げ装置は、第４に、第１ないし第３のいずれかの特徴において、前記Ｌ字状架材の横架材には、前記中央横架材との相対移動を停止するための固定金具が設けられていることを特徴としている。
この特徴によれば、Ｌ字状架材を中央横架材に対してしっかりと固定することができるため、装置の安全を図ることができる。
【００１１】
また、本発明のコンクリート製品の吊り上げ装置は、第５に、第１ないし第４のいずれかの特徴において、前記差込金具は、金属製の丸棒から形成されることを特徴としている。
この特徴によれば、差込金具を市販の金属製の丸棒から形成できる。
【００１２】
また、本発明のコンクリート製品の吊り上げ装置は、第６に、第１ないし第５のいずれかの特徴において、前記Ｌ字状架材は、水平面内で１８０°回転された状態で前記中央横架材に嵌入可能に形成されていることを特徴としている。
この特徴によれば、同一のコンクリート製品の吊り上げ装置でもって、使用形態を調整するだけで、コンクリート製品の長さ寸法が大きいものから極めて小さいものまで吊り上げることができる。
【発明の効果】
【００１３】
本発明は、以下のような優れた効果を奏する。
（１）コンクリート製品の長さ寸法以上の長さ寸法を有する中央横架材と、前記中央横架材の両側に配設されるＬ字状架材とを備え、前記Ｌ字状架材は、横架材と縦架材とから形成され、前記横架材は、前記中央横架材にスライド可能に嵌合するための貫通孔を有し、前記縦架材は、その下部にコンクリート製品の凹部に挿入可能な凸状の差込金具を有し、前記差込金具は、前記中央横架材の長手方向に沿うように前記縦架材の両側に配設されることにより、コンクリート製品に吊り上げのための金物等を装着することなく、簡単な構成で吊り上げ及び回転が可能であるとともに、コンクリート製品のサイズが異なる場合にも特別な装置を要することなく、柔軟に対応できる。
【００１４】
（２）前記中央横架材及び前記Ｌ字状架材の横架材は、角形のパイプから形成されることにより、主要な部材である中央横架材及びＬ字状架材の横架材を市販の角形のパイプで構成することができるから、装置を安価に提供することができる。また、吊り上げるコンクリート製品の重量に応じて角形のパイプのサイズを変更すればよいから、種々のコンクリート製品に適した装置を容易に提供できる。
【００１５】
（３）前記Ｌ字状架材の横架材には、吊り上げ用の環状金具が設けられていることにより、建設現場などで使用されている重機を利用して、簡単にコンクリート製品を吊り上げることができる。
【００１６】
（４）前記Ｌ字状架材の横架材には、前記中央横架材との相対移動を停止するための固定金具が設けられていることにより、Ｌ字状架材を中央横架材に対してしっかりと固定することができるため、装置の安全を図ることができる。
【００１７】
（５）前記差込金具は、金属製の丸棒から形成されることにより、差込金具を市販の金属製の丸棒から形成できる。
【００１８】
（６）前記Ｌ字状架材は、水平面内で１８０°回転された状態で前記中央横架材に嵌入可能に形成されていることにより、同一のコンクリート製品の吊り上げ装置でもって、使用形態を調整するだけで、コンクリート製品の長さ寸法が大きいものから極めて小さいものまで吊り上げることができる。
【図面の簡単な説明】
【００１９】
【図１】本発明の実施例に係るコンクリート製品の吊り上げ装置の正面図である。
【図２】図１のＡ−Ａ矢視図である。
【図３】図１に示すＬ字状架材を同一水平面内で１８０゜回転して装着した場合の正面図である。
【図４】長尺状のコンクリート製品の長手方向の両端に吊り上げ装置の差込金具を差し込んだ状態を示す斜視図である。
【図５】長尺状のコンクリート製品を吊り上げた状態を示す斜視図である。
【図６】長尺状のコンクリート製品を吊り上げた状態において９０゜回転させた状態を示す斜視図である。
【発明を実施するための形態】
【００２０】
本発明に係るコンクリート製品の吊り上げ装置を実施するための形態を図面を参照しながら詳細に説明するが、本発明はこれに限定されて解釈されるものではなく、本発明乃範囲を逸脱しない限りにおいて、当業者の知識に基づいて、種々の変更、修正、改良を加えうるものである。
【実施例】
【００２１】
図１及び図２を参照しながら、本発明の実施例に係るコンクリート製品の吊り上げ装置を説明する。
【００２２】
図１及び図２において、中央横架材１は、コンクリート製品の長さ寸法以上の長さ寸法を有するように設定されている。なお、本明細書においては、「コンクリート製品の長さ寸法以上」には、「コンクリート製品の長さ寸法と同じ」である場合も含まれる。
中央横架材１は、断面が角形形状であり、例えば、断面が角形のパイプから形成される。
【００２３】
中央横架材１の両側には、Ｌ字状架材２、２が配設されている。Ｌ字状架材２は、横架材３と縦架材４とから形成される。横架材３は、中央横架材１にスライド可能に嵌合するための貫通孔を有している。例えば、横架材３を断面が角形の中空状のパイプから形成し、当該中空状の内部空間を貫通孔と位置づけ、この貫通孔内に中央横架材１をスライド自在に嵌合させるのがよい。横架材３の長さ寸法は任意であるが、強度上の観点からして、中央横架材１の長さ寸法の１／４〜１／３の長さが望ましい。
【００２４】
図１においては、中央横架材１の両端に、横架材３の外側の端部が整合した状態において、両側のＬ字状架材２、２の中央に間隔Ｌ１が設けられた状態が示されているが、両側のＬ字状架材２、２は、コンクリート製品の長さ寸法に合わせて中央横架材１に対してスライド自在であるから、中央の間隔Ｌ１はコンクリート製品の長さ寸法に応じて変動する。例えば、コンクリート製品の長さ寸法が小さい場合は、両側のＬ字状架材２、２は中央側に寄り集まった状態となって間隔Ｌ１が小さくなり、中央横架材１の両端は横架材３から突出する。
【００２５】
今、中央の間隔をＬ１、Ｌ字状架材２の中央端部から縦架材４の内側までの寸法をＬ２とすると、最大で約「Ｌ１＋２×Ｌ２」、最小で約「２×Ｌ２」の長さ寸法を有するコンクリート製品を吊り上げることが可能である。したがって、理論上は、Ｌ１を大きく、Ｌ２を小さくすれば、種々の長さ寸法のコンクリート製品を吊り上げることが可能である。しかし、強度上の制約から、Ｌ２は一定程度の大きさが必要である。
【００２６】
また、横架材３の上面には、中央横架材１との相対移動を停止するための固定金具５が設けられている。固定金具５は、横架材３の上面に固着されたナット状部材６と、これに螺入するボルト７とより構成されており、ボルト７は、横架材３の上部を貫通して中央横架材１に向けて設けられている。固定金具５は、必要に応じて複数設けられる。
【００２７】
また、横架材３の上面の長手方向の端部には、横架材３を把持して操作するためのハンドル８が設けられている。  
さらに、横架材３の上面の長手方向の中央には、吊り上げ用の環状金具９が設けられている。環状金具９には、図４ないし図６に示す吊り上げロープ１５が挿入されて、環状金具９を介して装置を吊り上げるようになっている。
【００２８】
Ｌ字状架材２の縦架材４は、横架材３の端部の下面に横架材３と直交するように下向きに配設され、溶接等の固着手段により固着される。例えば、縦架材４は、断面が角形のパイプから形成される。
【００２９】
縦架材４の下部には、コンクリート製品の長手方向の端部に形成された凹部に挿入可能な凸状の差込金具１０が設けられている。差込金具１０は、中央横架材１の長手方向に沿うように縦架材４の両側に配設される。差込金具１０は、例えば、金属製の丸棒から形成される。
【００３０】
中央横架材１の上面の長手方向の中央部には、環状金具１１が設けられている。そして、この環状金具１１と横架材３の吊り上げ用の環状金具９とを結ぶようにしてチエーン１２が配設されている。チエーン１２は、中央横架材１からＬ字状架材２、２が離脱するのを防止する役割を担っている。
【００３１】
図３は、図１に示すＬ字状架材２、２が中央横架材１から一旦離脱された後に、同一水平面内で１８０゜回転されて中央横架材１の両端から再装着された状態を示した正面図である。 
【００３２】
図３に示すように、Ｌ字状架材２、２を１８０゜回転させた場合、最大で約「Ｌ１」、最小で約「ゼロ」の長さ寸法を有するコンクリート製品を吊り上げることが可能である。
【００３３】
上記のように、同一のコンクリート製品の吊り上げ装置でもって、使用形態を調整することにより、コンクリート製品の長さ寸法が、最大約「Ｌ１＋２×Ｌ２」から最小約「ゼロ」の範囲のものまで、吊り上げ及び回転することが可能になる。
【００３４】
図４は、長尺状のコンクリート製品１３の長手方向の両端に吊り上げ装置の差込金具１０、１０を差し込んだ状態を示す斜視図である。
コンクリート製品１３の長さ方向の両端には凹部が形成されており、コンクリート製品１３は型枠等の台１４の上に載置された状態にある。
作業者によって、吊り上げ装置のＬ字状架材２、２の固定金具５が緩められ、縦架材４の間隔がコンクリート製品１３の長さ寸法より長くなるまで移動され、差込金具１０、１０がコンクリート製品１３の凹部に対応する位置でＬ字状架材２、２が中央側に移動されて差し込まれる。差込金具１０、１０がコンクリート製品１３の凹部に差し込まれると、固定金具５が締め込まれ、Ｌ字状架材２、２は中央横架材１に対して固定される。
【００３５】
図５は、長尺状のコンクリート製品１３を吊り上げた状態を示す斜視図である。
吊り上げロープ１５を介して吊り上げ装置を吊り上げると、吊り上げ装置に支持されたコンクリート製品１３はそのままの姿勢を保った状態で台１４から離れて上昇する。
【００３６】
図６は、長尺状のコンクリート製品１３を吊り上げた状態において、コンクリート製品１３を９０゜回転させた状態を示す斜視図である。
吊り上げられたコンクリート製品１３は、作業者により９０゜回転される。その回転の作業は、コンクリート製品１３が長手方向の両端において差込金具１０、１０により支持された状態にあるから、回転に要する力は小さいので容易に行うことができる。
【符号の説明】
【００３７】
１                  中央横架材
２                  Ｌ字状架材
３                  横架材
４                  縦架材
５                  固定金具
６                  ナット状部材
７                  ボルト
８                  ハンドル
９                  吊り上げ用の環状金具
１０                差込金具
１１                環状金具
１２                チエーン
１３                コンクリート製品
１４                台
１５                吊り上げロープ
【図１】
0006986106.tif 000002
【図２】
0006986106.tif 000003
【図３】
0006986106.tif 000004
【図４】
0006986106.tif 000005
【図５】
0006986106.tif 000006
【図６】
0006986106.tif 000007